(57)【要約】  飲料自動販売機用のミキサ組立体（１）であって、ミキサ組立体（１）は、支持体（２０）と、ミキサ（６）と、ミキサを支持体に取外し可能に接続するための接続装置（２１）とを含み、接続装置（２１）は、第一軸（１５）を有する中間部材（３０）によって並びに中間部材（３０）を支持体（２０）に取外し可能に接続し且つミキサ（６）を中間部材（３０）に取外し可能に接続するための第一及び第二の差込継手（３１，３２）によって定められ、各差込継手（３１，３２）は、少なくとも１つの係止歯（３５；４０）と、相対的な係止歯（３５；４０）のための挿入開口（３８；４３）を有する相対的なトラック（３７；４３）とを有し、第二差込継手（３２）の係止歯（４０）は、ミキサによって支持され、第一軸（１５）と平行な固定的な第二軸（４１）を有し、第二差込継手（３２）の挿入開口（４３）は、第一差込継手（３１）を完全係止位置に設定されるとき、第二軸（４１）に沿って配置される。
2011512928.tif 000002
【特許請求の範囲】
【請求項１】
飲料自動販売機のためのミキサ組立体であって、
支持本体と、ミキサと、該ミキサを前記支持本体に取外し可能に接続するための接続手段とを含み、
該接続手段は、第一軸を有する中間部材と、一方の側で前記中間部材を前記支持本体に、他方の側で前記中間部材を前記ミキサに取外し可能に接続するための第一及び第二の差込継手とを含み、
各差込継手は、少なくとも１つの係止歯と、該相対的な係止歯のための挿入開口を有する相対的なトラックとを含み、
前記第二差込継手の前記係止歯は、前記ミキサによって支持され、前記第一軸と平行な固定的な第二軸を有し、前記第二差込継手の前記挿入開口は、前記中間部材が前記第一差込継手を完全に係止する制限位置に設定されるとき、前記第二軸と同軸であることを特徴とする、
ミキサ組立体。
【請求項２】
前記ミキサを、前記第二軸と共に、前記第一軸の周りに角度的に係止するための連結手段を含む、請求項１に記載のミキサ組立体。
【請求項３】
前記ミキサは、前記第一軸と同軸であり且つ入口を備える自由端部を有する管状部材を含み、前記第二差込継手の前記係止歯は、前記自由端部で、前記管状部材によって支持される、請求項１又は２に記載のミキサ組立体。
【請求項４】
前記支持本体は、前記第一軸と同軸な付属物を有し、該付属物は、流体密且つ取外し可能な方法で前記入口を通じて前記管状部材内に挿入され、前記中間部材は、前記第一及び第二の差込継手を用いて、前記管状部材を前記支持本体の前記付属物上で軸方向に係止する、請求項３に記載のミキサ組立体。
【請求項５】
前記付属物は、カップ形状であり、端壁によってその自由端部で閉塞される、請求項４に記載のミキサ組立体。
【請求項６】
前記中間部材は、前記第二差込継手の前記保持トラック及び前記第一差込継手の前記係止歯を有する環状部材である、請求項１乃至５のうちのいずれか１項に記載のミキサ組立体。
【請求項７】
前記環状中間部材は、前記管状部材の外径とほぼ同じであるが、前記管状部材の外径より小さくない内径を有する、請求項３及び６に記載のミキサ組立体。
【請求項８】
前記第二差込継手の前記保持トラックは、前記支持本体に面する前記中間部材の表面の内周に沿って形成される溝によって定められる、請求項７に記載のミキサ組立体。
【請求項９】
前記第二差込継手の前記挿入開口は、前記中間部材の内表面に沿って形成される軸溝によって定められる、請求項７に記載のミキサ組立体。
【請求項１０】
前記第一差込継手の前記保持トラックは、前記第一軸について前記支持本体を通じて形成されるスロットによって定められる、請求項４乃至９のうちのいずれか１項に記載のミキサ組立体。
【請求項１１】
前記第二差込継手の前記係止歯は、前記第一軸に対して径方向に前記ミキサから延びる付属物を含む、請求項１乃至１０のうちのいずれか１項に記載のミキサ組立体。
【請求項１２】
前記第一差込継手の前記係止歯は、Ｌ形状の付属物を含み、該付属物の第一部分は、前記中間部材から径方向に延び、第二部分は、前記第一軸に対して径方向に前記第一部分から延びる、請求項１乃至１１のうちのいずれか１項に記載のミキサ組立体。
【請求項１３】
前記第二差込継手の前記保持トラックは、前記第一差込継手の前記保持トラックよりも短い、請求項１乃至１２のうちのいずれか１項に記載のミキサ組立体。
【請求項１４】
各差込継手は、前記第一軸の周りに均等に離間する多数の係止歯を含み、各係止歯は、それぞれの前記保持トラックと係合する、請求項１乃至１３のうちのいずれか１項に記載のミキサ組立体。
【発明の詳細な説明】
【技術分野】
【０００１】
本発明は、飲料自動販売機ミキサ組立体に関する。
【背景技術】
【０００２】
自動販売機ミキサ組立体は、通常、ミキサによって定められる取り外し可能な部分を含み、ミキサは、通常粉末状の可溶性材料のための頂部入口を備える通常切頭円錐形の中空本体を含む。中空本体は、内部混合室を有し、内部混合室は、頂部で入口と連絡し、横方向に水供給回路及び接続本体と連絡し、接続本体は、凝縮セルを収容し、混合室からの煙霧を抽出するために混合室を吸引装置に接続するよう、中空本体から径方向に外向きに突出する。
【０００３】
中空本体は、通常、底部で流出導管と連絡し、流出導管は、中空本体と同軸であり且つ混合室と直接的に連絡する第一部分と、接続本体と平行な軸に沿って第二部分の底端部から径方向に延びる第二部分とを含む。
【０００４】
内側で、流出導管の第二部分は、通常、調合室を定め、調合室は、一方の側で、流出パイプ及び混合室と連絡し、他方の側で、その自由端部に、ブレンダのインペラのための入口を有し、ブレンダは、電気モータを含み、電気モータの出力シャフトには、インペラが装着される。
【０００５】
上記種類の既知のミキサ組立体は、通常、支持本体によって定められる固定部分も含み、支持本体は、機械の固定的な通常垂直な壁に一体的に接続され、接続装置によってミキサ流出導管の第二部分の自由端部に取外し可能に接続され、ミキサの接続本体と水供給回路と煙霧抽出吸引装置との間の界面を定める。
【０００６】
支持本体は、ブレンダの電気モータも支持し、インペラが装着されるモータの出力シャフトが貫通的に取り付けられる。
【０００７】
上記種類のミキサ組立体は、通常、頻繁に保守及び洗浄され、それは取外し可能な部分を固定部分から分離し且つ取外し可能な部分を固定部分に再接続するよう接続装置を操作することを意味する。
【発明の概要】
【発明が解決しようとする課題】
【０００８】
機械の休止時間を最小限化し且つミキサを不当な応力に晒すことを避けるために、この作業は可能な限り簡単に行われなければならないので、製造が安価且つ容易であり、迅速且つ容易に分解及び組立てを行い得る、既述の種類の飲料自動販売機ミキサ組立体を提供することが、本発明の目的である。
【課題を解決するための手段】
【０００９】
本発明によれば、請求項１において請求されるような、好ましくは、請求項１に直接的又は間接的に従属する後続の請求項のいずれか１項において請求されるような飲料自動販売機ミキサ組立体が提供される。
【００１０】
付属の図面を参照して、一例として本発明の非限定的な実施態様を記載する。
【図面の簡単な説明】
【００１１】
【図１】本発明に従ったミキサ組立体の好適実施態様を示す分解斜視図である。
【図２】部分的に組み立てられた図１のミキサ組立体を示す斜視図である。
【図３】完全に組み立てられた図１のミキサ組立体を示す斜視図である。
【図４】図１における詳細の径方向断面を示す拡大図である。
【図５】図２の詳細を示す正面図である。
【図６】図３の詳細を示す正面図である。
【図７】図６中の線ＶＩＩ−ＶＩＩに沿う径方向断面を示す断面図である。
【図８】図６中の線ＶＩＩＩ−ＶＩＩＩに沿う径方向断面を示す断面図である。
【発明を実施するための形態】
【００１２】
図１乃至３中の符号１は、全体的に、飲料自動販売機２のためのミキサ組立体を示している。
【００１３】
ミキサ組立体１は、取外し可能な部分３と、機械２の固定的な通常垂直な壁に一体的に接続される固定部分４とを含む。
【００１４】
取外し可能な部分３は、ミキサ６を含み、ミキサ６は、垂直軸８を有する通常切頭円錐形の中空本体７と、通常粉末状の可溶性材料のための頂部入口９とを含む。中空本体７は、内部混合室（図示せず）を有し、内部混合室は、２つの横方向の水入口（図示せず）を有し、頂部で入口９と連絡し、横方向に接続本体１０と連絡し、接続本体は、図示しない既知の濃縮セルを収容する。接続本体１０は、長方形−平行六面体の形状であり、軸１１ａに沿って中空本体７から径方向に外向きに突出し、混合室から煙霧を抽出するために混合室を吸引装置（図示せず）に接続する。
【００１５】
中空本体７は、底部で流出導管１２と連絡し、流出導管１２は、軸８と同軸な部分１３を有し、一端部で混合室（図示せず）と直接的に連絡し、他端部で円筒形部分１４と連絡し、円筒形部分１４は、軸１１ａと平行な軸１５ａに沿って部分１３の底端部から径方向に延びる。
【００１６】
内側で、流出導管１２の部分１４は、調合室（図示せず）を定め、調合室は、流出パイプ１６と中心的に連絡し、一方の側で、部分１３を介して混合室（図示せず）と連絡し、他方の側で、部分１４の自由端部に、既知のブレンダ１８のインペラ（簡潔性のために図示しない）のための円形の入口１７を有し、ブレンダ１８は、固定部分４の一部を形成し、電気モータ（図示せず）を含み、電気モータの駆動シャフト１９には、インペラ（図示せず）が装着される。
【００１７】
寸法的には、部分１４の入口１７は、接続本体１０の自由端部よりも軸８に近い。
【００１８】
固定部分４は、支持本体２０を含み、支持本体２０は、機械２の壁５に一体的に接続され、接続装置２１によって、取外し可能で流体密な方法で、ミキサ６の流出導管１２の部分１４の自由端部に接続され、ミキサ６及び水供給装置（図示せず）及び煙霧抽出吸引装置（図示せず）の間の界面を定める。
【００１９】
支持本体２０は、ブレンダ１８の電気モータ（図示せず）も支持し、インペラ（図示せず）が装着される駆動シャフト１９が貫通的に取り付けられる。
【００２０】
支持本体２０は、実質的に長方形のプレート２２を含み、プレート２２は、既知の締結手段（図示せず）によって壁５に固定され、長方形−平行六面体の形状の頂部空洞２３を有し、頂部空洞２３は、既知の吸引装置（図示せず）に接続され、プレート２２に対して垂直な軸１１ｂに沿って延び、軸方向に摺動的で角度的に固定された方法で、接続本体１０を受け入れるような横方向の大きさとされる。換言すれば、空洞２３は、角柱状の案内部を形成し、案内部は、１つの軸１１を形成するにその軸１１ａが軸１１ｂと同軸な状態で接続本体１０によって係合されるとき、ミキサ６を軸１１について角度的に係止する。
【００２１】
空洞２３の一方の側に、プレート２２は、２つの貫通取付金具２４を有し、２つの貫通継手２４は、前方で、中空本体７内に形成されるそれぞれの水入口（図示せず）に取り外し可能に接続する。
【００２２】
空洞２３の下に、プレート２２は、円筒形の付属物２５を有し、付属物２５は、軸１５ｂを有し、プレート２２からミキサ６に向かって突出する。軸１１ａと１５ａとの間の距離は、軸１１ｂと軸１５ｂとの間の距離と等しく、付属物２５は、円筒形の横壁２６を含み、横壁２６は、シール２７を収容する外部環状溝を有し、流出導管１２の部分１４の内径とほぼ等しいが、流出導管１２の内径よりは大きくない外径を有する。ミキサ６に面する付属物２５の端部は、端壁２８によって閉塞され、端壁２８を通じて、軸１５ｂと同軸な孔２９が形成され、ブレンダ１８の駆動シャフト１９によって回転的な方法で係合され、ブレンダのモータ(図示せず)は、ミキサ６についてプレート２２の反対側で、プレート２２に装着される。
【００２３】
接続本体１０が軸１１に沿って位置付けられ、空洞２３と係合するとき、部分１４の軸１５ａが軸１５ｂと同軸であり、１つの軸１５を形成するとき、並びに、部分１４の入口１７が流体密な方法で付属物２５の上に装着されるとき、接続装置２１は、ミキサ６を支持本体２０に接続する。
【００２４】
接続装置２１は、軸１５と同軸な中間環状部材３０と、２つの差込継手３１及び３２とを含む。差込継手３１は中間環状部材３０を支持本体１０に解放可能に接続し、差込継手３２はミキサ６を中間環状部材３０に解放可能に接続する。
【００２５】
中間環状部材３０は、２つの対向する環状の平坦な表面３３及び３４によって境界付けられる。表面３３はプレート２２に面し、流出導管１２の部分１４の外径とほぼ等しいが、流出導管１２の部分１４の外径より小さくない内径を有し、作動位置において、部分１４に端部の上に装着される。
【００２６】
差込継手３１は、軸１５の周りに均等に離間する３つの係止歯３５を含む。明らかに、係止歯３５は、３つ以外の数であってもよく、１つだけの係止歯さえも十分であり得る。
【００２７】
各係止歯３５は、Ｌ形状であり、表面３３から径方向に延び、軸１５に面する端部係止部分を有する。プレート２２上の保持スロット又はトラック３７は、各係止歯３５と対応し、それぞれの係止歯３５のために一端部に挿入開口３８を有する。各トラックは、軸１５ｂについて弧状に（図１において、相対的な挿入開口３８から反時計回りに）延在し、相対的な挿入開口３８に対する反対端部で、軸１５ｂに対して径方向に配置される停止表面３９によって境界付けられる。各係止歯３５は、係止歯３５がそれぞれの挿入開口３８の内側に挿入され、環状部材３０が軸１５ｂについて回転されるや否や、その端部がプレート２２の後方表面と係合するのに十分な長さである。
【００２８】
差込継手３２は、軸１５ａの周りに均等に離間する３つの係止歯４０を含む。明らかに、この場合にも、係止歯４０は３つ以外の数であってもよく、１つだけの係止歯４０さえも十分であり得る。
【００２９】
各係止歯４０は、流出導管１２の部分１４の自由端部から径方向に外向きに突出する付属物によって定められ、軸１５ａと平行な実質的に重心的な軸４１を有する。中間環状部材３０上の保持トラック４２は、各係止歯４０と対応し、表面３３の内周に沿って形成される溝によって定められ、それぞれの係止歯４０のために一端部に挿入開口４３を有する。各挿入開口４３は、軸１５と平行な軸４４を有する軸方向溝によって定められ、必ずしもそうである必要はないが、好ましくは（図示の実施態様に示されるように）、相対的な係止歯３５と一致して、中間環状部材３０の円筒形の内表面に沿って形成される。各保持トラック４２は、保持トラック３７と同じ方向に、しかしながら、保持トラック３７よりも短い円弧に沿って、軸１５の周りに延在する。
【００３０】
図１に示される取外し位置において、ミキサ組立体１の組立て、即ち、支持本体２０へのミキサ６の接続を今や記載する。
【００３１】
取外し位置において、差込継手３１の係止歯３０がそれぞれの挿入開口３８と整列されるように、中間環状部材３０はプレート２２に面して位置付けられ、次に、中間環状部材３０は、先ず、それぞれの挿入開口３８を通じて係止歯３５を挿入するよう軸１５ｂに沿って移動され、次に、軸１５ｂについて回転されて、継手３１を完全係止位置（図２及び５）に移動し、係止歯３５はそれぞれの停止表面３９と横方向に接触する（図５）。
【００３２】
次に、ミキサ６は、支持本体２０に向かって移動され、接続本体１０を空洞２３の内側に挿入し、ミキサ６を軸１１について角度的に係止し、よって、差込継手３２の係止歯４０の軸４１を所定位置に係止する。
【００３３】
差込継手３１の保持トラック３７は、軸１５ｂの周りに配置され、さらに、差込継手３１が完全に係止され且つ接続本体１０が空洞２３の内側に挿入されるとき、係止歯４０の軸４１が相対的な挿入開口４３の軸４４と同軸なそれぞれの位置に係止されるよう、十分な長さにされる。結果的に、ミキサ６をプレート２２に向かって単に押すことによって、接続本体１０は、一方の側で、空洞２３と完全に係合し、他方の側で、各係止歯４０は相対的な挿入開口４３と係合し、付属物２５を流出導管１２の部分１４の完全に内側に挿入する。
【００３４】
この時点で、中間環状部材３０上の外側の径方向の付属物４５を使用して、中間環状部材３０（図３及び６）は軸１５について（図６において時計回りに）回転され、差込継手３１を解放せずに差込継手３２を係止する。
【００３５】
保持トラック４２は、保持トラック３７よりもずっと短いので（図示の実施例では、約半分の長さ）、差込継手３２を完全に係止し、係止歯３５を保持トラック３７に沿って実質的に中間に位置付けるために、中間環状部材３０は回転される必要があるだけである。この操作中、使用者は、保持トラック３７に沿って配置されるボス４６を用いて、それぞれの保持トラック３７に沿う係止歯３５の位置に気付かされ、使用者が径方向付属物４５を使用して中間環状部材３０を（図６において時計回りに）回転するとき、保持トラック３７は、係止歯３５と相互作用する。
【００３６】
上記組立て操作を逆に行うことによって、ミキサ６は支持本体２０から取り外される。
【００３７】
上記の記載から明らかであるように、差込継手３２を係止する前に軸４１を相対的な軸４４と同軸にすることによって、並びに、差込継手３１を（使用者によって容易に特定可能である位置に）単に完全に係止することによって、ミキサ組立体１の組立てを比較的迅速に完了することができ、係止歯４０の挿入前に中間環状部材３０の角度位置を調節する必要がない。
【図１】
2011512928.tif 000003
【図２】
2011512928.tif 000004
【図３】
2011512928.tif 000005
【図４】
2011512928.tif 000006
【図５】
2011512928.tif 000007
【図６】
2011512928.tif 000008
【図７】
2011512928.tif 000009
【図８】
2011512928.tif 000010
【手続補正書】
【提出日】平成22年10月28日(2010.10.28)
【手続補正１】
【補正対象書類名】特許請求の範囲
【補正対象項目名】全文
【補正方法】変更
【補正の内容】
【特許請求の範囲】
【請求項１】
飲料自動販売機のためのミキサ組立体であって、
支持本体と、軸を有する通常切頭円錐形の中空本体を含むミキサと、該ミキサを前記支持本体に取外し可能に接続するための接続手段とを含み、
該接続手段は、第一水平軸を有する中間部材と、一方の側で前記中間部材を前記支持本体に、他方の側で前記中間部材を前記ミキサに取外し可能に接続するための第一及び第二の差込継手とを含み、
各差込継手は、少なくとも１つの係止歯と、該それぞれの係止歯のための挿入開口を有するそれぞれのトラックとを含み、
前記第二差込継手の前記係止歯は、前記ミキサによって支持され、前記第一軸と平行な固定的な第二水平軸を有し、前記第二差込継手の前記挿入開口は、前記中間部材が前記第一差込継手を完全に係止する制限位置に設定され且つ前記中空本体の前記軸が垂直位置にあるとき、前記第二軸と同軸であることを特徴とする、
ミキサ組立体。
【請求項２】
前記中空本体の前記軸が垂直位置にある状態で、前記ミキサを、前記第二軸と共に、前記第一軸の周りに角度的に係止するための連結手段を含む、請求項１に記載のミキサ組立体。
【請求項３】
前記ミキサは、前記第一軸と同軸であり且つ入口を備える自由端部を有する管状部材を含み、前記第二差込継手の前記係止歯は、前記自由端部で、前記管状部材によって支持される、請求項１又は２に記載のミキサ組立体。
【請求項４】
前記支持本体は、前記第一軸と同軸な付属物を有し、該付属物は、流体密且つ取外し可能な方法で前記入口を通じて前記管状部材内に挿入され、前記中間部材は、前記第一及び第二の差込継手を用いて、前記管状部材を前記支持本体の前記付属物上で軸方向に係止する、請求項３に記載のミキサ組立体。
【請求項５】
前記付属物は、カップ形状であり、端壁によってその自由端部で閉塞される、請求項４に記載のミキサ組立体。
【請求項６】
前記中間部材は、前記第二差込継手の前記保持トラック及び前記第一差込継手の前記係止歯を有する環状部材である、請求項１乃至５のうちのいずれか１項に記載のミキサ組立体。
【請求項７】
前記環状中間部材は、前記管状部材の外径とほぼ同じであるが、前記管状部材の外径より小さくない内径を有する、請求項３及び６に記載のミキサ組立体。
【請求項８】
前記第二差込継手の前記保持トラックは、前記支持本体に面する前記中間部材の表面の内周に沿って形成される溝によって定められる、請求項７に記載のミキサ組立体。
【請求項９】
前記第二差込継手の前記挿入開口は、前記中間部材の内表面に沿って形成される軸溝によって定められる、請求項７に記載のミキサ組立体。
【請求項１０】
前記第一差込継手の前記保持トラックは、前記第一軸について前記支持本体を通じて形成されるスロットによって定められる、請求項４乃至９のうちのいずれか１項に記載のミキサ組立体。
【請求項１１】
前記第二差込継手の前記係止歯は、前記第一軸に対して径方向に前記ミキサから延びる付属物を含む、請求項１乃至１０のうちのいずれか１項に記載のミキサ組立体。
【請求項１２】
前記第一差込継手の前記係止歯は、Ｌ形状の付属物を含み、該付属物の第一部分は、前記中間部材から径方向に延び、第二部分は、前記第一軸に対して径方向に前記第一部分から延びる、請求項１乃至１１のうちのいずれか１項に記載のミキサ組立体。
【請求項１３】
前記第二差込継手の前記保持トラックは、前記第一差込継手の前記保持トラックよりも短い、請求項１乃至１２のうちのいずれか１項に記載のミキサ組立体。
【請求項１４】
各差込継手は、前記第一軸の周りに均等に離間する多数の係止歯を含み、各係止歯は、それぞれの前記保持トラックと係合する、請求項１乃至１３のうちのいずれか１項に記載のミキサ組立体。
【手続補正２】
【補正対象書類名】明細書
【補正対象項目名】全文
【補正方法】変更
【補正の内容】
【書類名】明細書
【発明の名称】飲料自動販売機ミキサ組立体
【技術分野】
【０００１】
本発明は、飲料自動販売機ミキサ組立体に関する。
【背景技術】
【０００２】
自動販売機ミキサ組立体は、通常、ミキサによって定められる取り外し可能な部分を含み、ミキサは、通常粉末状の可溶性材料のための頂部入口を備える通常切頭円錐形の中空本体を含む。中空本体は、内部混合室を有し、内部混合室は、頂部で入口と連絡し、横方向に水供給回路及び接続本体と連絡し、接続本体は、凝縮セルを収容し、混合室からの煙霧を抽出するために混合室を吸引装置に接続するよう、中空本体から径方向に外向きに突出する。
【０００３】
中空本体は、通常、底部で流出導管と連絡し、流出導管は、中空本体と同軸であり且つ混合室と直接的に連絡する第一部分と、接続本体と平行な軸に沿って第二部分の底端部から径方向に延びる第二部分とを含む。
【０００４】
内側で、流出導管の第二部分は、通常、調合室を定め、調合室は、一方の側で、流出パイプ及び混合室と連絡し、他方の側で、その自由端部に、ブレンダのインペラのための入口を有し、ブレンダは、電気モータを含み、電気モータの出力シャフトには、インペラが装着される。
【０００５】
上記種類の既知のミキサ組立体は、通常、支持本体によって定められる固定部分も含み、支持本体は、機械の固定的な通常垂直な壁に一体的に接続され、接続装置によってミキサ流出導管の第二部分の自由端部に取外し可能に接続され、ミキサの接続本体と水供給回路と煙霧抽出吸引装置との間の界面を定める。
【０００６】
支持本体は、ブレンダの電気モータも支持し、インペラが装着されるモータの出力シャフトが貫通的に取り付けられる。
【０００７】
上記種類のミキサ組立体は、通常、頻繁に保守及び洗浄され、それは取外し可能な部分を固定部分から分離し且つ取外し可能な部分を固定部分に再接続するよう接続装置を操作することを意味する。
【０００８】
この関係で、例えば、ＵＳ２００５／０７９２６５Ａ１から、第一水平軸を有する中間部材と、一方の側で中間部材を支持本体に、他方の側で中間部材をミキサに取外し可能に接続するための第一及び第二の差込継手とを含む接続手段を提供することが既知であり、各差込継手は、少なくとも１つの係止歯と、それぞれの係止歯のための挿入開口を有するそれぞれのトラックとを含み、第二差込継手の係止歯は、ミキサによって支持され、第一軸と平行な固定的な第二水平軸を有する。
【０００９】
上記種類の既知のミキサ組立体の主要な欠点は、分離操作及び再接続操作中に、中間部材及びミキサが共に取り扱われなければならないことであり、それはこれらの操作を困難且つ時間のかかるものにする。
【発明の概要】
【発明が解決しようとする課題】
【０００８】
機械の休止時間を最小限化し且つミキサを不当な応力に晒すことを避けるために、この作業は可能な限り簡単に行われなければならないので、製造が安価且つ容易であり、迅速且つ容易に分解及び組立てを行い得る、既述の種類の飲料自動販売機ミキサ組立体を提供することが、本発明の目的である。
【課題を解決するための手段】
【０００９】
本発明によれば、請求項１において請求されるような、好ましくは、請求項１に直接的又は間接的に従属する後続の請求項のいずれか１項において請求されるような飲料自動販売機ミキサ組立体が提供される。
【００１０】
付属の図面を参照して、一例として本発明の非限定的な実施態様を記載する。
【図面の簡単な説明】
【００１１】
【図１】本発明に従ったミキサ組立体の好適実施態様を示す分解斜視図である。
【図２】部分的に組み立てられた図１のミキサ組立体を示す斜視図である。
【図３】完全に組み立てられた図１のミキサ組立体を示す斜視図である。
【図４】図１における詳細の径方向断面を示す拡大図である。
【図５】図２の詳細を示す正面図である。
【図６】図３の詳細を示す正面図である。
【図７】図６中の線ＶＩＩ−ＶＩＩに沿う径方向断面を示す断面図である。
【図８】図６中の線ＶＩＩＩ−ＶＩＩＩに沿う径方向断面を示す断面図である。
【発明を実施するための形態】
【００１２】
図１乃至３中の符号１は、全体的に、飲料自動販売機２のためのミキサ組立体を示している。
【００１３】
ミキサ組立体１は、取外し可能な部分３と、機械２の固定的な通常垂直な壁に一体的に接続される固定部分４とを含む。
【００１４】
取外し可能な部分３は、ミキサ６を含み、ミキサ６は、垂直軸８を有する通常切頭円錐形の中空本体７と、通常粉末状の可溶性材料のための頂部入口９とを含む。中空本体７は、内部混合室（図示せず）を有し、内部混合室は、２つの横方向の水入口（図示せず）を有し、頂部で入口９と連絡し、横方向に接続本体１０と連絡し、接続本体は、図示しない既知の濃縮セルを収容する。接続本体１０は、長方形−平行六面体の形状であり、軸１１ａに沿って中空本体７から径方向に外向きに突出し、混合室から煙霧を抽出するために混合室を吸引装置（図示せず）に接続する。
【００１５】
中空本体７は、底部で流出導管１２と連絡し、流出導管１２は、軸８と同軸な部分１３を有し、一端部で混合室（図示せず）と直接的に連絡し、他端部で円筒形部分１４と連絡し、円筒形部分１４は、軸１１ａと平行な軸１５ａに沿って部分１３の底端部から径方向に延びる。
【００１６】
内側で、流出導管１２の部分１４は、調合室（図示せず）を定め、調合室は、流出パイプ１６と中心的に連絡し、一方の側で、部分１３を介して混合室（図示せず）と連絡し、他方の側で、部分１４の自由端部に、既知のブレンダ１８のインペラ（簡潔性のために図示しない）のための円形の入口１７を有し、ブレンダ１８は、固定部分４の一部を形成し、電気モータ（図示せず）を含み、電気モータの駆動シャフト１９には、インペラ（図示せず）が装着される。
【００１７】
寸法的には、部分１４の入口１７は、接続本体１０の自由端部よりも軸８に近い。
【００１８】
固定部分４は、支持本体２０を含み、支持本体２０は、機械２の壁５に一体的に接続され、接続装置２１によって、取外し可能で流体密な方法で、ミキサ６の流出導管１２の部分１４の自由端部に接続され、ミキサ６及び水供給装置（図示せず）及び煙霧抽出吸引装置（図示せず）の間の界面を定める。
【００１９】
支持本体２０は、ブレンダ１８の電気モータ（図示せず）も支持し、インペラ（図示せず）が装着される駆動シャフト１９が貫通的に取り付けられる。
【００２０】
支持本体２０は、実質的に長方形のプレート２２を含み、プレート２２は、既知の締結手段（図示せず）によって壁５に固定され、長方形−平行六面体の形状の頂部空洞２３を有し、頂部空洞２３は、既知の吸引装置（図示せず）に接続され、プレート２２に対して垂直な軸１１ｂに沿って延び、軸方向に摺動的で角度的に固定された方法で、接続本体１０を受け入れるような横方向の大きさとされる。換言すれば、空洞２３は、角柱状の案内部を形成し、案内部は、１つの軸１１を形成するにその軸１１ａが軸１１ｂと同軸な状態で接続本体１０によって係合されるとき、ミキサ６を軸１１について角度的に係止する。
【００２１】
空洞２３の一方の側に、プレート２２は、２つの貫通取付金具２４を有し、２つの貫通継手２４は、前方で、中空本体７内に形成されるそれぞれの水入口（図示せず）に取り外し可能に接続する。
【００２２】
空洞２３の下に、プレート２２は、円筒形の付属物２５を有し、付属物２５は、軸１５ｂを有し、プレート２２からミキサ６に向かって突出する。軸１１ａと１５ａとの間の距離は、軸１１ｂと軸１５ｂとの間の距離と等しく、付属物２５は、円筒形の横壁２６を含み、横壁２６は、シール２７を収容する外部環状溝を有し、流出導管１２の部分１４の内径とほぼ等しいが、流出導管１２の内径よりは大きくない外径を有する。ミキサ６に面する付属物２５の端部は、端壁２８によって閉塞され、端壁２８を通じて、軸１５ｂと同軸な孔２９が形成され、ブレンダ１８の駆動シャフト１９によって回転的な方法で係合され、ブレンダのモータ(図示せず)は、ミキサ６についてプレート２２の反対側で、プレート２２に装着される。
【００２３】
接続本体１０が軸１１に沿って位置付けられ、空洞２３と係合するとき、部分１４の軸１５ａが軸１５ｂと同軸であり、１つの軸１５を形成するとき、並びに、部分１４の入口１７が流体密な方法で付属物２５の上に装着されるとき、接続装置２１は、ミキサ６を支持本体２０に接続する。
【００２４】
接続装置２１は、軸１５と同軸な中間環状部材３０と、２つの差込継手３１及び３２とを含む。差込継手３１は中間環状部材３０を支持本体１０に解放可能に接続し、差込継手３２はミキサ６を中間環状部材３０に解放可能に接続する。
【００２５】
中間環状部材３０は、２つの対向する環状の平坦な表面３３及び３４によって境界付けられる。表面３３はプレート２２に面し、流出導管１２の部分１４の外径とほぼ等しいが、流出導管１２の部分１４の外径より小さくない内径を有し、作動位置において、部分１４に端部の上に装着される。
【００２６】
差込継手３１は、軸１５の周りに均等に離間する３つの係止歯３５を含む。明らかに、係止歯３５は、３つ以外の数であってもよく、１つだけの係止歯さえも十分であり得る。
【００２７】
各係止歯３５は、Ｌ形状であり、表面３３から径方向に延び、軸１５に面する端部係止部分を有する。プレート２２上の保持スロット又はトラック３７は、各係止歯３５と対応し、それぞれの係止歯３５のために一端部に挿入開口３８を有する。各トラックは、軸１５ｂについて弧状に（図１において、それぞれの挿入開口３８から反時計回りに）延在し、それぞれの挿入開口３８に対する反対端部で、軸１５ｂに対して径方向に配置される停止表面３９によって境界付けられる。各係止歯３５は、係止歯３５がそれぞれの挿入開口３８の内側に挿入され、環状部材３０が軸１５ｂについて回転されるや否や、その端部がプレート２２の後方表面と係合するのに十分な長さである。
【００２８】
差込継手３２は、軸１５ａの周りに均等に離間する３つの係止歯４０を含む。明らかに、この場合にも、係止歯４０は３つ以外の数であってもよく、１つだけの係止歯４０さえも十分であり得る。
【００２９】
各係止歯４０は、流出導管１２の部分１４の自由端部から径方向に外向きに突出する付属物によって定められ、軸１５ａと平行な実質的に重心的な軸４１を有する。中間環状部材３０上の保持トラック４２は、各係止歯４０と対応し、表面３３の内周に沿って形成される溝によって定められ、それぞれの係止歯４０のために一端部に挿入開口４３を有する。各挿入開口４３は、軸１５と平行な軸４４を有する軸方向溝によって定められ、必ずしもそうである必要はないが、好ましくは（図示の実施態様に示されるように）、それぞれの係止歯３５と一致して、中間環状部材３０の円筒形の内表面に沿って形成される。各保持トラック４２は、保持トラック３７と同じ方向に、しかしながら、保持トラック３７よりも短い円弧に沿って、軸１５の周りに延在する。
【００３０】
図１に示される取外し位置において、ミキサ組立体１の組立て、即ち、支持本体２０へのミキサ６の接続を今や記載する。
【００３１】
取外し位置において、差込継手３１の係止歯３０がそれぞれの挿入開口３８と整列されるように、中間環状部材３０はプレート２２に面して位置付けられ、次に、中間環状部材３０は、先ず、それぞれの挿入開口３８を通じて係止歯３５を挿入するよう軸１５ｂに沿って移動され、次に、軸１５ｂについて回転されて、継手３１を完全係止位置（図２及び５）に移動し、係止歯３５はそれぞれの停止表面３９と横方向に接触する（図５）。
【００３２】
次に、ミキサ６は、支持本体２０に向かって移動され、接続本体１０を空洞２３の内側に挿入し、ミキサ６を軸１１について角度的に係止し、よって、差込継手３２の係止歯４０の軸４１を所定位置に係止する。
【００３３】
差込継手３１の保持トラック３７は、軸１５ｂの周りに配置され、さらに、差込継手３１が完全に係止され且つ接続本体１０が空洞２３の内側に挿入されるとき、係止歯４０の軸４１がそれぞれの挿入開口４３の軸４４と同軸なそれぞれの位置に係止されるよう、十分な長さにされる。結果的に、ミキサ６をプレート２２に向かって単に押すことによって、接続本体１０は、一方の側で、空洞２３と完全に係合し、他方の側で、各係止歯４０はそれぞれの挿入開口４３と係合し、付属物２５を流出導管１２の部分１４の完全に内側に挿入する。
【００３４】
この時点で、中間環状部材３０上の外側の径方向の付属物４５を使用して、中間環状部材３０（図３及び６）は軸１５について（図６において時計回りに）回転され、差込継手３１を解放せずに差込継手３２を係止する。
【００３５】
保持トラック４２は、保持トラック３７よりもずっと短いので（図示の実施例では、約半分の長さ）、差込継手３２を完全に係止し、係止歯３５を保持トラック３７に沿って実質的に中間に位置付けるために、中間環状部材３０は回転される必要があるだけである。この操作中、使用者は、保持トラック３７に沿って配置されるボス４６を用いて、それぞれの保持トラック３７に沿う係止歯３５の位置に気付かされ、使用者が径方向付属物４５を使用して中間環状部材３０を（図６において時計回りに）回転するとき、保持トラック３７は、係止歯３５と相互作用する。
【００３６】
上記組立て操作を逆に行うことによって、ミキサ６は支持本体２０から取り外される。
【００３７】
上記の記載から明らかであるように、差込継手３２を係止する前に軸４１をそれぞれの軸４４と同軸にすることによって、並びに、差込継手３１を（使用者によって容易に特定可能である位置に）単に完全に係止することによって、ミキサ組立体１の組立てを比較的迅速に完了することができ、係止歯４０の挿入前に中間環状部材３０の角度位置を調節する必要がない。
【国際調査報告】
2011512928.tif 000011
2011512928.tif 000012
2011512928.tif 000013